(57)【要約】【課題】  引き戸本体を外すことなく、召合せ縦枠の脱衣室側見付け面および戸尻縦框の浴室側見付け面を清掃可能な引込み戸を提供することを課題とする。【解決手段】  開口部に設けた引き戸枠２と、引き戸枠２に開閉自在に装着した戸先引き戸４および戸尻引き戸５から成る引き戸本体３とを備え、引き戸本体３の閉塞時に、戸尻引き戸５の戸尻縦框２８に設けた戸側煙返し３５が、召合せ縦枠４５に設けた枠側煙返し９５に係止される２枚引込み戸１において、戸尻縦框２８と戸側煙返し３５との間には、戸尻引き戸５の召合せ縦枠４５を越えた戸先側への移動を許容するように、枠側煙返し９５に対する戸側煙返し３５の係止状態を解除可能な係止解除機構１１５，１１６が構成されている。【選択図】  図５
2005264456.tif 000002
【特許請求の範囲】
【請求項１】
開口部に設けた引き戸枠と、前記引き戸枠に開閉自在に装着され、戸先引き戸およびこれに共引きされる戸尻引き戸を含む複数の引き戸から成る引き戸本体とを備え、
前記引き戸本体の閉塞時に、前記戸尻引き戸の戸尻縦框に設けた戸側煙返しが、前記引き戸枠の召合せ縦枠に設けた枠側煙返しに係止される引込み戸において、
前記戸尻縦框と前記戸側煙返しとの間には、前記戸尻引き戸の前記召合せ縦枠を越えた戸先側への移動を許容するように、前記枠側煙返しに対する前記戸側煙返しの係止状態を解除可能な係止解除機構が構成されていることを特徴とする引込み戸。
【請求項２】
前記引き戸本体は、前記戸先引き戸および前記戸尻引き戸の２枚の引き戸から成り、
前記引き戸枠の下枠は、下枠本体と、前記下枠本体の上面に着脱自在に設けられ、下レールを形成すると共に前記下枠本体との間に排水空間を構成する下枠アタッチメントと、を有し、
前記下枠アタッチメントは、見付け方向の略中間位置で分割した戸先側アタッチメントと戸尻側アタッチメントとで構成されていることを特徴とする請求項１に記載の引込み戸。
【請求項３】
前記係止解除機構は、前記戸尻縦框および前記戸側煙返しの基部のいずれか一方に設けられ、先端部に形成した太径の抜止め部、およびこれに連なる細径の係止軸部から成る係止突起と、
他方に形成され、前記抜止め部の挿入を許容する挿入開口部、およびこれに連なると共に、前記係止軸部に係合し且つ前記抜止め部の引き抜きを阻止する抜止め開口部から成る係止開口と、を有していることを特徴とする請求項１または２に記載の引込み戸。
【請求項４】
前記係止解除機構は、前記戸尻縦框および前記戸側煙返しの基部のいずれか一方に設けられ、上下方向に回動軸部および回動止め軸部を連ねて成る支軸と、
他方に設けられ、着座位置で前記回動止め軸部に係合し、相対的上動位置で前記回動軸部に係合する軸受け部と、を有していることを特徴とする請求項１または２に記載の引込み戸。
【請求項５】
前記係止解除機構は、前記戸尻縦框に取り付けた締結ねじ部材と、
前記戸側煙返しの基部に見込み方向に長く形成され、前記締結ねじ部材が挿通する長孔と、を有していることを特徴とする請求項１または２に記載の引込み戸。
【請求項６】
開口部に設けた引き戸枠と、前記引き戸枠に開閉自在に装着され、戸先引き戸およびこれに共引きされる戸尻引き戸を含む複数の引き戸から成る引き戸本体とを備え、
前記引き戸本体の閉塞時に、前記戸尻引き戸の戸尻縦框に設けた戸側煙返しが、前記引き戸枠の召合せ縦枠に設けた枠側煙返しに係止される引込み戸において、
前記召合せ縦枠と前記枠側煙返しとの間には、前記戸尻引き戸の前記召合せ縦枠を越えた戸先側への移動を許容するように、前記戸側煙返しに対する前記枠側煙返しの係止状態を解除可能な係止解除機構が構成されていることを特徴とする引込み戸。
【発明の詳細な説明】
【技術分野】
【０００１】
本発明は、主として、浴室やシャワー室等の水場の出入口として設けられる引込み戸に関するものである。
【背景技術】
【０００２】
従来、この種の引込み戸として、浴室の出入口に適用した２枚引込み戸が知られている（例えば、特許文献１参照）。この２枚引込み戸は、開口部に設けた引き戸枠と、引き戸枠に開閉自在に装着した戸先引き戸およびこれに共引きされる戸尻引き戸から成る引き戸本体とを備えており、引き戸本体の閉塞時に、戸尻引き戸の戸尻縦框に設けた戸側煙返しが、引き戸枠の召合せ縦枠に設けた枠側煙返しに係止されるようになっている。この場合、戸側煙返しは、形材で形成された戸尻縦框の浴室側の見付け面に一体に形成され、同様に枠側煙返しは、形材で形成された召合せ縦枠の脱衣室側の見付け面に一体に形成されている。
【特許文献１】特開平９−１２５８３１号公報
【発明の開示】
【発明が解決しようとする課題】
【０００３】
このような従来の２枚引込み戸では、召合せ縦枠の脱衣室側見付け面に形成した枠側煙返しは、２枚引込み戸の開放時には戸先引き戸により覆われ且つ閉塞時には戸尻引き戸により覆われてしまう。同様に、戸尻縦框の浴室側見付け面に形成した戸側煙返しは、２枚引込み戸の開放時には召合せ縦枠に対面し、閉塞時には引込み壁部に対面してしまう。一方、戸側煙返しは戸尻縦框に一体に形成され、また枠側煙返しは召合せ縦枠に一体に形成されているため、枠側煙返しを含む召合せ縦枠の脱衣室側見付け面や、戸側煙返しを含む戸尻縦框の浴室側見付け面を清掃する場合には、引き戸枠から戸先引き戸および戸尻引き戸（引き戸本体）を外す必要があり、ユーザに煩雑な作業を強いることになる。
【０００４】
本発明は、引き戸本体を外すことなく、召合せ縦枠の脱衣室側見付け面および戸尻縦框の浴室側見付け面を清掃可能な引込み戸を提供することを課題としている。
【課題を解決するための手段】
【０００５】
本発明の引込み戸は、開口部に設けた引き戸枠と、引き戸枠に開閉自在に装着され、戸先引き戸およびこれに共引きされる戸尻引き戸を含む複数の引き戸から成る引き戸本体とを備え、引き戸本体の閉塞時に、戸尻引き戸の戸尻縦框に設けた戸側煙返しが、引き戸枠の召合せ縦枠に設けた枠側煙返しに係止される引込み戸において、戸尻縦框と戸側煙返しとの間には、戸尻引き戸の召合せ縦枠を越えた戸先側への移動を許容するように、枠側煙返しに対する戸側煙返しの係止状態を解除可能な係止解除機構が構成されていることを特徴とする。
【０００６】
この構成によれば、係止解除機構により、枠側煙返しに対する戸側煙返しの係止状態を解除することで、戸尻引き戸の召合せ縦枠を越えた戸先側への移動が可能となる。このため、上記の係止解除後に、戸先引き戸と共に戸尻引き戸（および中間引き戸）を戸先縦枠側に寄せれば、召合せ縦枠の脱衣室側見付け面および戸尻縦框の浴室側見付け面を露出させることができる。
【０００７】
この場合、引き戸本体は、戸先引き戸および戸尻引き戸の２枚の引き戸から成り、引き戸枠の下枠は、下枠本体と、下枠本体の上面に着脱自在に設けられ、下レールを形成すると共に下枠本体との間に排水空間を構成する下枠アタッチメントと、を有し、下枠アタッチメントは、見付け方向の略中間位置で分割した戸先側アタッチメントと戸尻側アタッチメントとで構成されていることが、好ましい。
【０００８】
この構成によれば、上記の係止解除後に、戸先引き戸と共に戸尻引き戸を戸先縦枠側に寄せれば、戸尻側アタッチメントが離脱可能となり、これを外して排水空間(の戸尻側半部)を清掃することができる。同様に、戸先引き戸と共に戸尻引き戸を戸尻縦枠側に寄せれば、戸先側アタッチメントが離脱可能となり、これを外して排水空間（の戸先側半部）を清掃することができる。すなわち、戸先引き戸と共に戸尻引き戸を外すことなく、下枠本体と下枠アタッチメントとの間の排水空間をメンテナンスすることができる。
【０００９】
これらの場合、係止解除機構は、戸尻縦框および戸側煙返しの基部のいずれか一方に設けられ、先端部に形成した太径の抜止め部、およびこれに連なる細径の係止軸部から成る係止突起と、他方に形成され、抜止め部の挿入を許容する挿入開口部、およびこれに連なると共に、係止軸部に係合し且つ抜止め部の引き抜きを阻止する抜止め開口部から成る係止開口と、を有していることが好ましい。
【００１０】
この構成によれば、係止開口の挿入開口部に対して係止突起をその抜止め部から相対的に挿入し、この状態で係止突起を移動させ、その抜止め部を係止開口の抜止め開口部に臨ませる。これにより、係止突起は係止開口に対し、相対的に抜止め状態で係止される。また、逆の手順で、係止突起は係止開口に対し相対的に係止解除される。したがって、戸尻縦框に対し戸側煙返しを着脱することができる。
【００１１】
同様に、係止解除機構は、戸尻縦框および戸側煙返しの基部のいずれか一方に設けられ、上下方向に回動軸部および回動止め軸部を連ねて成る支軸と、他方に設けられ、着座位置で回動止め軸部に係合し、相対的上動位置で回動軸部に係合する軸受け部と、を有していることが好ましい。
【００１２】
この構成によれば、軸受け部に対し支軸を相対的上動位置に移動させることにより、戸側煙返しが回動自在となる。また、逆の手順で、軸受け部に対し支軸を着座位置に相対的に移動させることにより、戸側煙返しが回動止め状態となる。したがって、戸側煙返しを上動させた後、回動させることにより、戸側煙返しが枠側煙返しに対し係止解除される。
【００１３】
同様に、係止解除機構は、戸尻縦框に取り付けた締結ねじ部材と、戸側煙返しの基部に見込み方向に長く形成され、締結ねじ部材が挿通する長孔と、を有していることが好ましい。
【００１４】
この構成によれば、締結ねじ部材を緩めた後、戸側煙返しを手前に移動させれば、戸側煙返しが枠側煙返しに対し係止解除される。また、逆の手順で、戸側煙返しを枠側煙返しに係止することができる。
【００１５】
本発明の他の引込み戸は、開口部に設けた引き戸枠と、引き戸枠に開閉自在に装着され、戸先引き戸およびこれに共引きされる戸尻引き戸を含む複数の引き戸から成る引き戸本体とを備え、引き戸本体の閉塞時に、戸尻引き戸の戸尻縦框に設けた戸側煙返しが、引き戸枠の召合せ縦枠に設けた枠側煙返しに係止される引込み戸において、召合せ縦枠と枠側煙返しとの間には、戸尻引き戸の召合せ縦枠を越えた戸先側への移動を許容するように、戸側煙返しに対する枠側煙返しの係止状態を解除可能な係止解除機構が構成されていることを特徴とする。
【００１６】
この構成によれば、係止解除機構により、戸側煙返しに対する枠側煙返しの係止状態を解除することで、戸尻引き戸の召合せ縦枠を越えた戸先側への移動が可能となる。このため、上記の係止解除後に、戸先引き戸と共に戸尻引き戸（および中間引き戸）を戸先縦枠側に寄せれば、召合せ縦枠の脱衣室側見付け面および戸尻縦框の浴室側見付け面を露出させることができる。
【発明の効果】
【００１７】
以上のように本発明の引込み戸によれば、枠側煙返しと戸側煙返しとの係止状態を解除した後、戸先引き戸と共に戸尻引き戸（および中間引き戸）を戸先縦枠側に寄せることで、召合せ縦枠の脱衣室側見付け面および戸尻縦框の浴室側見付け面を露出させることができ、メンテナンス(主に清掃)が可能となる。すなわち、戸先引き戸と共に戸尻引き戸を外すことなく、召合せ縦枠の脱衣室側見付け面および戸尻縦框の浴室側見付け面を清掃することができる。
【発明を実施するための最良の形態】
【００１８】
以下、添付図面を参照して、本発明の引込み戸を、浴室の出入口開口部に設けた２枚引込み戸に適用した場合について説明する。この浴室は、脱衣室との間にほぼ段差を無くした（実際には３ｍｍ程度の段差がある）バリアフリー設計となっており、ユニットバスで構成した浴室と脱衣室との間の出入口開口部に、２枚引込み戸が取り付けられている。図１は２枚引込み戸の浴室側から見た姿図であり、２枚引込み戸１は、出入口開口部に設けた引き戸枠２と、引き戸枠２に開閉自在に装着した戸先引き戸４および戸尻引き戸５から成る引き戸本体３と、引き戸本体の引込み壁部に構成したフィックス窓６と、で構成されている。
【００１９】
フィックス窓６は、引き戸本体３と略同一の高さを有し且つ引き戸本体３より幅狭に形成されており、窓枠１１と窓枠１１に装着した樹脂製の窓パネル１２とで構成されている。窓枠１１は、それぞれアルミニウムの形材等で形成して窓上枠１４、窓下枠１５および左右の両窓縦枠１６ａ，１６ｂを方形に枠組みして構成され、この框体を兼ねる窓枠１１に、窓パネル１２が脱衣室Ｂ側から押縁形式で装着されている。また、一方の窓縦枠１６ａは、後述する戸尻縦枠４４と一体に形成され、他方の窓縦枠１６ｂは、後述する召合せ縦枠４５と一体に形成されている。
【００２０】
引き戸本体３は、大型の内外両ハンドル２１ａ（２１ｂ）を取り付けた戸先側の戸先引き戸４と、これに共引きされる戸尻側の戸尻引き戸５とで構成されている。内外各ハンドル２１ａ（２１ｂ）により引込み壁部から戸先引き戸４が先行して引き出されると、これに共引きされるようにして戸尻引き戸５が引き出されて、引き戸本体３は閉塞状態となる。逆に、内外各ハンドル２１ａ（２１ｂ）により戸先引き戸４を開放してゆくと、途中から戸先引き戸４に引っかかって戸尻引き戸５も開放されてゆき、最終的に戸先引き戸４および戸尻引き戸５が重なるようにして、引込み壁部に収容される（開放）。
【００２１】
図２ないし４に示すように、引き戸枠２は、それぞれアルミニウムの形材等で形成した上枠４１、下枠４２、戸先縦枠４３、戸尻縦枠４４および中間の召合せ縦枠４５を枠組みして、構成されている。この場合、戸先縦枠４３は、出入口の見込み方向の幅いっぱいに設けられ、戸尻縦枠４４は、引き戸本体３を収容する見込み幅に形成されると共に、フィックス窓６の一方の窓縦１６ａと一体に形成されている。同様に、召合せ縦枠４５は、出入口の見込み方向の突出幅と略同幅に形成されると共に、フィックス窓６の他方の窓縦１６ｂと一体に形成されている。そして、ユニットバスの防水パン７で構成される浴室床７ａと、引き戸枠３の下枠４２と、脱衣室Ｂの脱衣室床８とはほぼ面一に、すなわち段差が生じないように配設されている。
【００２２】
一方、戸先引き戸４は、それぞれアルミニウムの形材等で形成した上框２３、下框２４、戸先縦框２５および召合せ縦框２６を方形に框組みし、これに樹脂製のパネル体２７を組み込んで、構成されている。同様に、戸尻引き戸５は、それぞれアルミニウムの形材等で形成した上框２３、下框２４、戸尻縦框２８および召合せ縦框２９を方形に框組みし、これに樹脂製のパネル体２７を組み込んで、構成されている。戸先縦框２５の見付け面には、上記の内ハンドル２１ａおよび外ハンドル２１ｂが設けられ、またその中空部内には、内外両ハンドル２１ａ，２１ｂによって操作されるドア錠３１が組み込まれている。浴室Ａ側に設けられる内ハンドル２１ａは浴室Ａ側に大きく突出し、脱衣室Ｂ側に設けられる外ハンドル２１ｂは脱衣室Ｂ側に小さく突出している。また、両下框２４，２４には、着脱自在に構成した隔板３２を介して上下４連の換気口３３が形成されている。
【００２３】
戸先引き戸４の召合せ縦框２６には、浴室Ａ側に位置して引き戸間煙返し２６ａが一体に形成され、これに対応して、戸尻引き戸５の召合せ縦框２９には、脱衣室Ｂ側に位置して引き戸間煙返し２９ａが一体に形成されている。この引き戸間煙返し同士２６ａ，２９ａが係合（噛み合う）することで、戸先引き戸４に戸尻引き戸５が共引きされると共に、戸先引き戸４と戸尻引き戸５との間隙がシールされる。また、詳細は後述するが、戸尻縦框２８の後端部には、戸側煙返し３５が着脱自在に取り付けられると共に、これに対応して、召合せ縦枠４５には枠側煙返し９５が一体に形成されている。この戸側煙返し３５と枠側煙返し９５とが係合（噛み合う）することで、戸尻引き戸５が閉塞位置に位置規制されると共に、戸尻引き戸５と召合せ縦枠４５との間隙がシールされる。
【００２４】
上枠４１は、戸先縦枠４３および戸尻縦枠４４間に配設されたレール部上枠４７と、戸先縦枠４３および召合せ縦枠４５間に配設された開口部上枠４８と、で構成されている。脱衣室Ｂに位置するレール部上枠４７と浴室Ａ側に位置する開口部上枠４８とは別体で構成され、レール部上枠４７に対し開口部上枠４８がスナップイン形式で装着されている。また、レール部上枠４７には、戸先引き戸４および戸尻引き戸５がスライド自在に装着される下向きの２本の上レール４９，４９が垂設されている。
【００２５】
下枠４２は、戸先縦枠４３および戸尻縦枠４４間に配設されたレール部下枠５１と、戸先縦枠４３および召合せ縦枠４５間に配設された開口部下枠５２と、で構成されている。脱衣室Ｂに位置するレール部下枠５１と浴室Ｂ側に位置する開口部下枠５２とは別体で構成され、シーラー等のシール材５３を介して相互に突き合せるようにして水密に接合されている。開口部下枠５２は、防水パン７の載置段部７ｂに着座する開口部下枠本体５５と、開口部下枠本体５５の上側に装着したスロープアタッチメント５６と、で構成されている。開口部下枠本体５５の上面は、防水パン７の浴室床７ａと面一に配設され、後述するレール部下枠本体５８からの排水を防水パン（浴室床７ａ）７に導き得るようになっている。
【００２６】
レール部下枠５１は、レール部下枠本体５８と、レール部下枠本体５８の上面に着脱自在に装着したレールアタッチメント５９と、で構成されている。レール部下枠本体５８は、見付け方向の略中間位置で２分割された戸先側下枠本体５８ａと戸尻側下枠本体５８ｂとで構成されている。同様に、レールアタッチメント５９は、見付け方向の略中間位置（レール部下枠本体５８と同位置）で２分割された戸先側アタッチメント５９ａと戸尻側アタッチメント５９ｂとで構成されている。そして、レール部下枠本体５８およびレールアタッチメント５９の分割位置には、下枠本体同士５８ａ，５８ｂおよびアタッチメント同士５９ａ，５９ｂを水密に接合する板状のシールプレート６０が介設されている（図３参照）。
【００２７】
レール部下枠本体５８は、その上面を構成すると共に浴室Ａ側に向かってわずかに下り傾斜となる上板部６２と、上板部６２の下側に形成した本体中空部６３と、上板部６２の浴室Ａ側端から立ち上がったシート取付片部６４と、上板部６２の脱衣室Ｂ側端から立ち上がり脱衣室Ｂ側に屈曲して延びる脱衣室見切り片部６５と、で一体に形成されている。シート取付片部６４には、戸尻引き戸５に摺接する第１下枠シール部材６６が装着される一方、脱衣室見切り片部６５の浴室Ａ側部位には、弾性材（シール材）で構成した止水板６７が立設されている。また、シート取付片部６４の基部には複数の連通孔が形成されており（図示省略）、レールアタッチメント５９から上板部６２の上面に流下した排水を、この複数の連通孔を介して上記の開口部下枠本体５５の上面に導き得るようになっている。なお、戸先側下枠本体５８ａと戸尻側下枠本体５８ｂとは本体中空部６３の高さが異なるが、同一の基本形態を有している（図２および図４参照）。
【００２８】
レールアタッチメント５９は、平板上のアタッチメント本体７１と、アタッチメント本体７１の上面に立設した一対の下レール７２，７２と、一対の下レール７２，７２間に配設したシール取付部７３と、アタッチメント本体７１の下面に垂設した長短一対の脚片７４ａ，７４ｂと、アタッチメント本体７１の浴室Ａ側から水平に延設した係止片７５と、で一体に形成されている。一対の下レール７２，７２には、戸先引き戸４および戸尻引き戸５がスライド自在に装着され、またシール取付部７３には、戸先引き戸４に摺接する第２下枠シール部材７６が装着されている。係止片７５は、レール部下枠本体５８のシート取付片部６４に下側から係止されており、レールアタッチメント５９は、脱衣室Ｂ側の部位を引き上げて斜めにすることにより離脱され、且つ逆の手順で装着される。さらに、一対の脚片７４ａ，７４ｂにより、レールアタッチメント５９とレール部下枠本体５８との間に排水空間７８が構成されている。
【００２９】
ところで、防水パン７側から引き戸本体３に向かって流れる排水は、上記の第１下枠シール部材６６および第２下枠シール部材７６により構成される止水ラインにより止水される。また、この止水ラインから漏れて脱衣室Ｂ側に流入する排水は、堰として機能する止水板６７により止水される。本実施形態では、止水ラインから漏れ止水板６７で止水された排水を、レールアタッチメント（アタッチメント本体７１）５９に形成した複数の排水孔(図示省略)からレール部下枠本体５８の上面、すなわち排水空間７８に流下させ、この排水空間７８から開口部下枠本体５５を介して防水パン７に戻すようにしている。図示では省略したが、複数の排水孔は上記の止水ラインと止水板６７との間に位置して、アタッチメント本体７１に貫通形成されている。なお、戸先側アタッチメント５９ａと戸尻側アタッチメント５９ｂとは、同一の形態を有している（図２および図４参照）。
【００３０】
戸先縦枠４３は、縦枠中空部８２を有する戸先縦枠本体８１と、戸先引き戸４の先端部を呑み込む一対の呑込み溝形成片８３ａ，８３ｂと、を備えており、浴室Ａ側の呑込み溝形成片８３ａには内向きの第１縦枠シール部材８４が装着されている。同様に、戸尻縦枠４４は、縦枠中空部８７を有すると共に上記の窓縦枠１６ａを兼ねる戸先縦枠本体８６と、開放時の戸先引き戸４および戸尻引き戸５が当接される上下一対の当接パッド８８と、を備えている。
【００３１】
召合せ縦枠４５は、戸先縦枠４３に対面し方形中空部９２を有する召合せ縦枠本体９１と、召合せ縦枠本体９１の脱衣室Ｂ側端から屈曲して見込み方向に延びると共に上記の窓縦枠１６ｂを兼ねる召合せ部９３と、召合せ部９３に突設した縦シール取付部９４と、縦シール取付部９４から戸尻方向に延びる枠側煙返し９５と、で一体に形成されている。縦シール取付部９４には、戸尻引き戸５に密接する第２縦枠シール部材９６が装着され、また詳細は後述するが、枠側煙返し９５には、閉塞状態における戸尻引き戸５の戸側煙返し３５が係止されるようになっている。
【００３２】
ところで、召合せ縦枠４５と閉塞状態の戸尻引き戸５の戸尻縦框２８との間は、その下部において、上記の第１下枠シール部材６６の端を２縦枠シール部材９６に突き当てたシール形態となるため、シール切れを生じ易いものとなる。そこで、本実施形態では、スロープアタッチメント５６と、召合せ縦枠４５の召合せ縦枠本体９１と、閉塞状態の戸尻引き戸５の戸尻縦框２８とで囲まれたコーナー部分に、シール強化用のピース部品１０１が取り付けられている。
【００３３】
ピース部品１０１は、樹脂製の部品本体１０２と、部品本体１０２の脱衣室Ｂ側端部に水平姿勢で装着した横シール部材１０３と、部品本体１０２の脱衣室Ｂ側端部に鉛直姿勢で装着した縦シール部材１０４とを有している。ピースものの横シール部材１０３は、第１下枠シール部材６６の上側に隣接して戸尻引き戸５の浴室Ａ側下部に密接し、縦シール部材１０４は、第２縦枠シール部材９６に隣接して戸尻引き戸５の浴室Ａ側後端部に密接する。なお、横シール部材１０３と縦シール部材１０４とは、相互の交会部分で連続していること、すなわち、単一のシール部材を折り曲げて形成されていることが、好ましい。また、これとは別に、シール強化用に、上記の窓下枠１５とレール部下枠５１のシール取付片部６４との掛止め部分には、シールパッド１０５が介設されている。
【００３４】
図５は、召合せ縦枠４５と戸尻引き戸５の戸尻縦框２８との召合せ部分の拡大断面図であり、戸尻引き戸５を閉塞して状態では、召合せ縦枠４５の枠側煙返し９５と戸尻縦框２８の戸側煙返し３５とが噛み合うようにして、相互に係止されている。本実施形態では、戸側煙返し３５が戸尻縦框２８の後端面に着脱自在に取り付けられている。戸側煙返し３５は、戸尻縦框２８と同じ高さを有しており、枠側煙返し９５に係止される先端部片１１１とこれに連なる基部片１１２とで断面略「Ｌ」字状に形成されている。基部片１１２には、戸尻縦框２８の後端面に形成した浅溝２８ａに嵌合する一対の小突片１１３，１１３が形成され、この一対の小突片１１３，１１３間に位置して、長手方向に等間隔となるように複数（図示では１つのみ記載）の係止突起１１５が固定されている。
【００３５】
係止突起１１５は、先端部に形成した太径の抜止め部１１５ａとこれに連なる細径の係止軸部１１５ｂとから成り、この係止軸部１１５ｂの部分で基部片１１２に固定されると共に、抜止め部１１５ａと上記の一対の小突片１１３，１１３とが戸尻縦框２８のほぼ肉厚分、離間している。一方、係止突起１１５に対応して戸尻縦框２８の後端面には、抜止め部１１５ａの挿入を許容する挿入開口部１１６ａと挿入開口部１１６ａの下方に連なる抜止め開口部１１６ｂとから成る鍵穴形状の複数（図示では１つのみ記載）の係止開口１１６が形成されている。挿入開口部１１６ａは、抜止め部１１５ａに対し一回り大きく形成され、抜止め開口部１１６ｂは、抜止め部１１５ａより小さく且つ係止軸部１１５ｂに対し一回り大きく形成されている。
【００３６】
戸側煙返し３５を手に持ち、各係止開口１１６に各係止突起１１５を位置合わせし、各係止開口１１６の挿入開口部１１６ａに各係止突起１１５の抜止め部１１５ａに挿入すると共に、戸側煙返し３５をわずかに下方に移動させて抜止め部１１５ａを挿入開口部１１６ａから抜止め開口部１１６ｂに臨ませる。これにより、戸側煙返し３５が戸尻縦框２８に抜止め状態で係止、すなわち装着される。また、この状態から逆の手順で、戸側煙返し３５が戸尻縦框２８から離脱される。このように、係止突起１１５と係止開口１１６とにより、戸尻引き戸５の召合せ縦枠４５を越えた戸先側への移動を許容するように前記枠側煙返し９５に対する前記戸側煙返し３５の係止状態を解除可能な係止解除機構が構成されている。なお、係止開口１１６を戸側煙返し３５に形成し、係止突起１１５を戸尻縦框２８に設ける構成としてもよい。
【００３７】
図３に示すように、戸側煙返し３５を戸尻縦框２８に装着した状態で、引き戸本体３を閉塞すると、この戸側煙返し３５が枠側煙返し９５に係止され、引き戸本体３の閉塞状態が位置規制される。一方、図６に示すように、レールアタッチメント５９を外して排水空間７８を清掃する場合には、戸先引き戸４および戸尻引き戸５を戸尻側に寄せて完全開放状態とし、戸先側アタッチメント５９ａを外して排水空間７８の戸先側半部を清掃する（同図（ａ）参照）。次に、戸側煙返し３５を戸尻縦框２８から離脱させた後、戸先引き戸４および戸尻引き戸５を戸先側に最大限寄せ、戸尻側アタッチメント５９ｂを外して排水空間７８の戸尻側半部を清掃する（同図（ｂ）参照）。また、この同図（ｂ）の状態では、戸尻縦框２８の浴室Ａ側見付け面が浴室Ａ側に開放されるため、この部分の清掃も可能になる。同様に、召合せ縦枠４５の召合せ部（枠側煙返し９５廻り）９３が脱衣室Ｂ側に開放されるため、この部分の清掃も可能になる。
【００３８】
次に、図７を参照して、戸側煙返し３５廻り（係止解除機構）の第２実施形態について説明する。この実施形態では、戸尻縦框２８の後端面に上下方向に延在する複数（図示では１つのみ記載）の支軸１２１が設けられる一方、この複数の支軸１２１に、戸側煙返し３５の基部片１１２に設けた複数（図示では１つのみ記載）の筒状の軸受け部材１２２が軸着されている。図示では省略したが、各支軸１２１には、軸受け部材１２２が回動可能に軸支される回動軸部と、回動軸部の下側に連なる回動止め軸部と、回動止め軸部の下側に連なるストッパとを有している。回動止め軸部の外周面には、複数の凸条が形成され、これに対応して各軸受け部材１２２の内周面には、複数の凸条にスプライン様に係合する複数の凹条が形成されている。
【００３９】
各支軸１２１に各軸受け部材１２２を軸着した状態では、ストッパに位置規制された軸受け部材１２２が支軸１２１の回動止め軸部に係合している。これにより、戸側煙返し３５は、枠側煙返し９５に係止される姿勢を維持する。一方、この状態から戸側煙返し３５を上動させると、軸受け部材１２２が支軸１２１の回動軸部に係合し、戸側煙返し３５が回動可能な状態になる。これにより、枠側煙返し９５対する戸側煙返し３５の係止を解除させることが可能になる。したがって、上記のレールアタッチメント５９等の清掃に際しては、戸側煙返し３５を上動させた後、手前側に回動させて戸側煙返し３５を枠側煙返し９５から離脱（係止解除）させるようにする。なお、支軸１２１を戸側煙返し３５に設け、軸受け部材１２２を戸尻縦框２８に設ける構成としてもよい。ただしこの場合には、支軸１２１は上下逆向きに設けられる。
【００４０】
次に、図８を参照して、戸側煙返し３５廻り（係止解除機構）の第３実施形態について説明する。この実施形態では、戸尻縦框２８の後端面に、複数（図示では１つのみ記載）の締結ねじ部材１２５を介して戸側煙返し３５が固定されている。戸側煙返し３５の基部片１１２には、見込み方向に延びる複数（図示では１つのみ記載）の長孔１２６が形成されており、各締結ねじ部材１２５は、この各長孔１２６を貫通すると共に浅溝２８ａに投入したスペーサ１２７を介して戸尻縦框２８に螺合している。このため、複数の締結ねじ部材１２５を緩めることにより、戸側煙返し３５は見込み方向にスライド自在となり、枠側煙返し９５に対し係脱自在となる。したがって、上記のレールアタッチメント５９等の清掃に際しては、締結ねじ部材１２５を緩めて戸側煙返し３５を枠側煙返し９５から離脱させるようにする。
【００４１】
なお、本実施形態では、戸尻縦框に対し戸側煙返しを着脱自在に構成したが、これとは逆に、召合せ縦枠に対し枠側煙返しを着脱自在に構成してもよい。また、本発明の２枚引込み戸は、浴室の出入口他、シャワー室等の水場の出入口にも適用可能である。さらに、本発明は、３枚引込み戸等（３枚以上のもの）にも適用可能である。
【図面の簡単な説明】
【００４２】
【図１】実施形態に係る２枚引込み戸の浴室側から見た姿図である。
【図２】実施形態に係る２枚引込み戸の縦断面図である。
【図３】実施形態に係る２枚引込み戸の横断面図である。
【図４】実施形態に係る２枚引込み戸のフィクス窓側の縦断面図である。
【図５】第１実施形態にかかる戸側煙返し廻り（係止解除機構）の拡大横断面図である。
【図６】レールアタッチメントの清掃作業時の横断面図である。
【図７】第２実施形態にかかる戸側煙返し廻り（係止解除機構）の拡大横断面図である。
【図８】第３実施形態にかかる戸側煙返し廻り（係止解除機構）の拡大横断面図である。
【符号の説明】
【００４３】
１  ２枚引込み戸、２  引き戸枠、３  引き戸本体、４  戸先引き戸、５  戸尻引き戸、２８  戸尻縦框、３５  戸側煙返し、４２  下枠、４５  召合せ縦枠、５１  レール部下枠、５８  レール部下枠本体、５９  レールアタッチメント、５９ａ  戸先側アタッチメント、５９ｂ  戸尻側アタッチメント、７８  排水空間、９１  召合せ縦枠本体、９３  召合せ部、９５  枠側煙返し、１１５  係止突起、１１５ａ  抜止め部、１１５ｂ  係止軸部、１１６  係止開口、１１６ａ  挿入開口部、１１６ｂ  抜止め開口部、１２１  支軸、１２２  軸受け部材、１２５  締結ねじ部材、１２６  長孔、Ａ  浴室、Ｂ  脱衣室
【図１】
2005264456.tif 000003
【図２】
2005264456.tif 000004
【図３】
2005264456.tif 000005
【図４】
2005264456.tif 000006
【図５】
2005264456.tif 000007
【図６】
2005264456.tif 000008
【図７】
2005264456.tif 000009
【図８】
2005264456.tif 000010